(57)【要約】      （修正有）【課題】音声ガイドギャップによって音量を向上させ、音波の方向を誘導し、同時に当該音声ガイドギャップを加工成形しやすいスマートウォッチの保護カバーを提供する。【解決手段】保護カバー１０はスマートウォッチの本体をカバーして周囲に弾性保護効果を奏し、全て同じ厚さで変化する二つの連結サイド１１、一つの制御サイド１２及び一つの音源サイド１３を形成して、ウォッチベルトの連結を提供する一つの嵌め合いスリット１１１を設け、また当該音源サイドの内表面は、スマートウォッチの本体の側面に合わせた音声ガイドギャップ１４で凹んでおり、当該音声ガイドギャップは、接続されたスマートウォッチの本体のラッパ口に底部が形成され、且つ当該音声ガイドギャップは、スマートウォッチの本体の表示面に延伸して、頂端オープニング１４２が形成され、さらに当該音声ガイドギャップの当該底部の面積は当該頂端オープニングの面積より大きい。【選択図】図２
0003233262.tif 000002
【実用新案登録請求の範囲】
【請求項１】
スマートウォッチの保護カバーであって、
保護カバーを含み、保護カバーはスマートウォッチの本体をカバーして周囲に弾性保護効果を奏し、且つ当該保護カバーは方形枠を呈して、全て同じ厚さで変化する二つの連結サイド、一つの制御サイド及び一つの音源サイドを形成して、互いに対称する二つの連結サイドにそれぞれのウォッチベルトの連結を提供する一つの嵌め合いスリットを設け、また当該音源サイドの内表面は、スマートウォッチの本体の側面に合わせた音声ガイドギャップで凹んでおり、当該音声ガイドギャップは、接続されたスマートウォッチの本体のラッパ口に底部が形成され、且つ当該音声ガイドギャップは、スマートウォッチの本体の表示面に延伸して、頂端オープニングが形成され、当該音声ガイドギャップがスマートウォッチの本体の方向に向かって中空面を形成して、且つ当該音声ガイドギャップは当該中空面にスマートウォッチの本体をカバーして当該頂端オープニングの単一方向の開口形態を構成し、当該保護カバーは、スマートウォッチの本体の表示面と裏面との両方に円弧凸リングが形成され、当該円弧凸リングの一部は当該頂端オープニングの外側に形成され、且つ当該音声ガイドギャップの当該頂端オープニングは当該円弧凸リングより低く、さらに当該音声ガイドギャップの当該底部の面積は当該頂端オープニングの面積より大きく、従って、当該音声ガイドギャップによってスマートウォッチの本体の音量を向上させ、かつ音波の方向を誘導し、同時に当該音声ガイドギャップを加工成形しやすい効果を奏することを特徴とするスマートウォッチの保護カバー。
【請求項２】
当該音声ガイドギャップの当該底部の長さは当該頂端オープニングの長さより大きいことを特徴とする請求項１のスマートウォッチの保護カバー。
【請求項３】
当該頂端オープニングから当該底部までの当該音声ガイドギャップの深さは、２つの当該円弧凸リング間の距離の２分の１から４分の３の間であることを特徴とする請求項１のスマートウォッチの保護カバー。
【請求項４】
当該音源サイドの最も薄い所は当該音声ガイドギャップの所にあり、且つ当該音源サイドの最も薄い所の厚さは当該音声ガイドギャップのギャップの大きさより小さいことを特徴とする請求項１のスマートウォッチの保護カバー。
【請求項５】
当該音声ガイドギャップは、スマートウォッチの本体に沿って弧状に形成されることを特徴とする請求項１のスマートウォッチの保護カバー。
【請求項６】
当該制御サイドには少なくとも１つのボタン穴とレスキューソケットが設けられ、スマートウォッチの本体のボタンが当該ボタン穴から露出し、且つスマートウォッチの本体がフリーズしたときに当該レスキューソケットに通してスマートウォッチの本体を強制的に再起動することを特徴とする請求項１のスマートウォッチの保護カバー。
【請求項７】
当該制御サイドの内表面に円形溝が設けられ、当該円形溝により、対応する位置の当該制御サイドの外側を押すことで簡単に変形させることができ、スマートウォッチの本体のボタンを隠す機能及び押しやすい機能を兼ね備えることを特徴とする請求項１のスマートウォッチの保護カバー。
【請求項８】
当該音声ガイドギャップは当該底部から当該頂端オープニングへの方向に複数の凹溝が排列され、当該凹溝を利用して音声のガイド性を強化することを特徴とする請求項１のスマートウォッチの保護カバー。
【考案の詳細な説明】
【技術分野】
【０００１】
本考案はウォッチの保護カバーに関し、特に製造が簡単で音声出力効果のあるスマートウォッチの保護カバーに関する。
【背景技術】
【０００２】
従来のウォッチの保護カバーと言えば、２０２０年２月２１日に台湾特許庁によって特許付与された特許番号Ｉ６８５３１０の「スマートウォッチの保護カバー」は、本考案者によって出願された特許であり、その主な特徴は次の通りである。すなわち、当該第１側縁部と当該第２側縁部とは互いに対応しており、且つ、当該第１側縁部の厚さは当該第２側縁部の厚さよりも薄く、また、当該第２側縁部には少なくとも１つの音声伝達チャンネルが設けられており、スマートウォッチのスピーカーの音を外部環境に伝達することができ、スピーカーの音質の劣化を防ぐ。上記の従来の構造をよく見ると、まだいくつかの欠点があることを見つけるのは難しい。主な理由は次の通りである。すなわち、音声伝達チャンネルを処理するために、当該第２側縁部の厚さを増やす必要があり、結果として当該第２側縁部は明らかに他の側縁部よりも厚くて重いので、原材料の使用量が増えるだけでなく、外観の一体性にも影響する。さらに、音声伝達チャンネルには開始端と出力端とがあり、当該開始端はウォッチスタンド空間に接続されており、当該出力端は当該第２側縁部の表面にあり、外部環境空間に接続されており、当該音声伝達チャンネルは当該第２側縁部の狭いチャンネルを貫通しているので、その部分の加工が難しく、不良率が高すぎるという欠点がある。しかしながら、本考案者はこれに満足せず、怠けないという精神を持ち、研究開発を続け、より完璧な技術革新を提供する。
【０００３】
これを考慮して、本考案の考案者は、この分野の製品の長年の製造開発、及び設計の経験に基づき、上記の課題を解決するために、詳細な設計及び精密な評価をした上で、実用的な本考案を得た。
【考案の概要】
【考案が解決しようとする課題】
【０００４】
本考案が解決しようとする課題は、従来技術に存在する上述の欠点について解決し、スマートウォッチの保護カバーを提供する。
【課題を解決するための手段】
【０００５】
保護カバーはスマートウォッチの本体をカバーして周囲に弾性保護効果を奏し、且つ当該保護カバーは方形枠を呈して、全て同じ厚さで変化する二つの連結サイド、一つの制御サイド及び一つの音源サイドを形成して、互いに対称する二つの連結サイドにそれぞれのウォッチベルトの連結を提供する一つの嵌め合いスリットを設け、また当該音源サイドの内表面は、スマートウォッチの本体の側面に合わせた音声ガイドギャップで凹んでおり、当該音声ガイドギャップは、接続されたスマートウォッチの本体のラッパ口に底部が形成され、スマートウォッチの本体の表示面に延伸して、頂端オープニングが形成され、さらに当該音声ガイドギャップの当該底部の面積は当該頂端オープニングの面積より大きい。
【０００６】
ここで、当該音声ガイドギャップがスマートウォッチの本体の方向に向かって中空面を形成して、且つ当該音声ガイドギャップは当該中空面にスマートウォッチの本体をカバーして当該頂端オープニングの単一方向の開口形態を構成する。
【０００７】
ここで、当該音声ガイドギャップの当該底部の長さは当該頂端オープニングの長さより大きい。
【０００８】
ここで、当該保護カバーは、スマートウォッチの本体の表示面と裏面の両方に円弧凸リングが形成され、当該円弧凸リングの一部は当該頂端オープニングの外側に形成され、且つ当該音声ガイドギャップの当該頂端オープニングは当該円弧凸リングより低い。
【０００９】
ここで、当該頂端オープニングから当該底部までの当該音声ガイドギャップの深さは、２つの当該円弧凸リング間の距離の２分の１から４分の３の間だ。
【００１０】
ここで、当該音源サイドの最も薄い所は当該音声ガイドギャップの所にあり、且つ当該音源サイドの最も薄い所の厚さは当該音声ガイドギャップのギャップの大きさより小さい。
【００１１】
ここで、当該音声ガイドギャップは、スマートウォッチの本体に沿って弧状に形成される。
【００１２】
ここで、当該制御サイドには少なくとも１つのボタン穴とレスキューソケットが設けられ、スマートウォッチの本体のボタンが当該ボタン穴から露出し、且つスマートウォッチの本体がフリーズしたときに当該レスキューソケットに通してスマートウォッチの本体を強制的に再起動する。
【００１３】
ここで、当該制御サイドの内表面に円形溝が設けられ、当該円形溝により、対応する位置の当該制御サイドの外側を押すことで簡単に変形させることができ、スマートウォッチの本体のボタンを隠す機能及び押しやすい機能を兼ね備える。
【００１４】
ここで、当該音声ガイドギャップは当該底部から当該頂端オープニングへの方向に複数の凹溝が排列され、当該凹溝を利用して音声のガイド性を強化する。
【００１５】
本考案の主な目的は、当該音声ガイドギャップがスマートウォッチの本体の側面に表示面に向く当該頂端オープニングが形成されることと協働して、これによってスマートウォッチの本体が発する音声或は音楽が当該音声ガイドギャップによってガイドされ、当該頂端オープニングの所でより集中に出力され、それと同時に当該音声ガイドギャップは大きい円周の相対開口を有し、それと同時に当該音声ガイドギャップとスマートウォッチの本体の側面の周囲に外に向く当該頂端オープニングを形成する。これによって当該音声ガイドギャップの機能需要を満たすための当該音源サイドを厚くする必要がないため、容易に生産し、不良率を下げる効果を奏する。
【００１６】
他の目的、利点、および本考案の新規の特性は、以下の詳細な説明および関連する図面からより明らかになる。
【図面の簡単な説明】
【００１７】
【図１】図１は、本考案をスマートウォッチに応用する立体図である。
【図２】図２は、本考案の立体図である。
【図３】図３は、本考案の立体断面図である。
【図４】図４は、本考案が使用される状態を示す断面図である。
【図５】図５は、本考案の音声ガイドギャップの正面概略図（１）である。
【図６】図６は、本考案の音声ガイドギャップの正面概略図（２）である。
【図７】図７は、本考案の音声ガイドギャップの断面概略図（１）である。
【図８】図８は、本考案の音声ガイドギャップの断面概略図（２）である。
【図９】図９は、本考案の他の実施例の立体断面図である。
【図１０】図１０は、本考案が使用される状態を示す概略図である。
【図１１】図１１は、本考案の円形溝の概略図である。
【考案を実施するための形態】
【００１８】
本考案の目的、特徴、及び効果を貴審査官によく理解及び認識させるために、以下、図面を参照しながら、実施例を挙げて詳しく説明する。
【００１９】
まず、図１、図２及び図３に示すように、スマートウォッチの保護カバーであって、保護カバー１０を含み、保護カバー１０はスマートウォッチの本体Ａをカバーして周囲に弾性保護効果を奏し、且つ当該保護カバー１０は方形枠を呈して、全て同じ厚さで変化する二つの連結サイド１１、一つの制御サイド１２及び一つの音源サイド１３を形成して、互いに対称する二つの連結サイド１１にそれぞれのウォッチベルトＡ１の連結を提供する一つの嵌め合いスリット１１１を設け、また当該音源サイド１３の内表面は、スマートウォッチの本体Ａの側面に合わせた音声ガイドギャップ１４で凹んでおり、当該音声ガイドギャップ１４は、接続されたスマートウォッチの本体Ａのラッパ口Ａ２に底部１４１が形成され、且つ当該音声ガイドギャップ１４は、スマートウォッチの本体Ａの表示面Ａ３に延伸して、頂端オープニング１４２が形成され、さらに当該音声ガイドギャップ１４の当該底部１４１の面積は当該頂端オープニング１４２の面積より大きく、図５に示すように、頂端オープニングの長さＬ１と底部の長さＬ２とを比べると、当該音声ガイドギャップ１４の当該底部１４１の長さは当該頂端オープニング１４２の長さより大きい。当該音声ガイドギャップ１４がスマートウォッチの本体Ａの方向に向かって中空面１４３を形成して、且つ当該音声ガイドギャップ１４は当該中空面１４３にスマートウォッチの本体Ａをカバーして当該頂端オープニング１４２の単一方向の開口形態を構成し、従って、当該音声ガイドギャップ１４によってスマートウォッチの本体Ａの音量を向上させ、かつ音波の方向を誘導し、同時に当該音声ガイドギャップ１４を加工成形しやすい効果を奏する。
【００２０】
保護カバー１０の実際の使用効果は、再び図１ないし図６に示すように、保護カバー１０は枠状を呈して、２つの連結サイド１１と、制御サイド１２と、音源サイド１３と一体に形成され、且つ主な特徴は、当該音源サイド１３の内表面に当該音声ガイドギャップ１４を設け、当該保護カバー１０がスマートウォッチの本体Ａにカバーする時に、当該保護カバー１０はスマートウォッチの本体Ａの外枠を囲んで弾性保護効果を形成すると同時に、当該音声ガイドギャップ１４にスマートウォッチの本体Ａのラッパ口Ａ２の所に設置され、すなわち当該音声ガイドギャップ１４はラッパ口Ａ２に連通し、さらにスマートウォッチの本体Ａの側面に沿って表示面Ａ３に向けて設けられる当該頂端オープニング１４２と協働して、これによってスマートウォッチの本体Ａが発する音声或は音楽を当該音声ガイドギャップ１４によってガイドして、当該頂端オープニング１４２の所でより集中に出力させることにより、音声の品質を維持しながらさらにその音声の音量を増加させ、かつ音波の方向に対する制御によって音声の効果を高め、保護効果及び音声の品質を兼ね成し遂げ、さらに、当該保護カバー１０の当該音声ガイドギャップ１４は、当該底部１４１と当該頂端オープニング１４２との間に中空面１４３が形成されるため、当該音声ガイドギャップ１４は大きい円周の相対開口を有するので、容易に生産し、不良率を下げる効果を奏し、それと同時に当該音声ガイドギャップ１４とスマートウォッチの本体Ａの側面の周囲に外に向く当該頂端オープニング１４２を形成し、これによって当該音声ガイドギャップ１４の機能需要を配合するための当該音源サイド１３を厚くする必要がなく、当該保護カバー１０の当該連結サイド１１と、当該制御サイド１２と、当該音源サイド１３と同じ形状と厚さを保持でき、製造しやすく、音声の出力効果と美観的な要求を兼ね備える。
【００２１】
再び図３、図４に示すように、当該保護カバー１０は、スマートウォッチの本体Ａの表示面Ａ３と裏面Ａ４の両方に円弧凸リング（１０１、１０２）が形成され、当該円弧凸リング１０１の部分は当該頂端オープニング１４２の外側に形成され、且つ当該音声ガイドギャップ１４の当該頂端オープニング１４２は当該円弧凸リング１０１より低いため、当該円弧凸リング１０１は、当該頂端オープニング１４２に変形に対する十分な強度を提供する。その結果、当該音声ガイドギャップ１４の当該頂端オープニング１４２は変形されず、さらに、当該頂端オープニング１４２から当該底部１４１までの当該音声ガイドギャップ１４の深さは、２つの当該円弧凸リング（１０１、１０２）間の距離の２分の１から４分の３の間である。即ち、図７に示す、音声ガイドギャップの深さＬ３と円弧凸リング間の距離Ｌ４との比較のように、さらに、当該音源サイド１３の最も薄い所は当該音声ガイドギャップ１４の所にあり、且つ当該音源サイド１３の最も薄い所の厚さは当該音声ガイドギャップ１４のギャップの大きさより小さい。即ち、図８に示す音源サイドの厚さＬ５と音声ガイドギャップの大きさＬ６との比較のように、さらに、当該音声ガイドギャップ１４は、スマートウォッチの本体Ａに沿って弧状に形成される。このようにして、当該音源サイド１３の厚さが制限される上で、構造強度と音声最適効果を兼ねる。
【００２２】
再び図９、図１０に示すように、当該音声ガイドギャップ１４は当該底部１４１から当該頂端オープニング１４２への方向に複数の凹溝１４４が排列され、当該凹溝１４４が当該音声ガイドギャップ１４を区別して複数の音声チャネルを形成し、従って、当該凹溝１４４を利用して音声のガイド性を強化し、音声または音楽がより明瞭になり、より長く伝達されるようにする。
【００２３】
さらに、図２および図１１に示すように、当該制御サイド１２には少なくとも１つのボタン穴１２１とレスキューソケット１２２が設けられ、スマートウォッチの本体ＡのボタンＡ５がボタン穴１２１から露出し、且つスマートウォッチの本体Ａがフリーズしたときに当該レスキューソケット１２２に通してスマートウォッチの本体Ａを強制的に再起動し、さらに、当該制御サイド１２の内表面に円形溝１２３が設けられ、当該円形溝１２３により、対応する位置の当該制御サイド１２の外側を押すことで簡単に変形させることができ、スマートウォッチの本体Ａのボタンを隠す機能及び押しやすい機能を兼ね備え、このようにして、当該保護カバー１０の実用性を向上させる。
【００２４】
以上は、本考案に係る実施例の一部に過ぎないため、本考案の実施範囲を制限するものではない。即ち、本実用新案登録請求の範囲内で行われる変化、修飾なども本考案の範囲に含まれる。
【符号の説明】
【００２５】
１０            保護カバー
１０１、１０２  円弧凸リング
１１            連結サイド
１１１          嵌め合いスリット
１２            制御サイド
１２１          ボタン穴
１２２          レスキューソケット
１２３          円形溝
１３            音源サイド
１４            音声ガイドギャップ
１４１          底部
１４２          頂端オープニング
１４３          中空面
１４４          凹溝
Ａ              スマートウォッチの本体
Ａ１            ウォッチのベルト
Ａ２            ラッパ口
Ａ３            表示面
Ａ４            裏面
Ａ５            ボタン
Ｌ１            頂端オープニングの長さ
Ｌ２            底部の長さ
Ｌ３            音声ガイドギャップの深さ
Ｌ４            円弧凸リング間の距離
Ｌ５            音源サイドの厚さ
Ｌ６            音声ガイドギャップのギャップの大きさ
【図１】
0003233262.tif 000003
【図２】
0003233262.tif 000004
【図３】
0003233262.tif 000005
【図４】
0003233262.tif 000006
【図５】
0003233262.tif 000007
【図６】
0003233262.tif 000008
【図７】
0003233262.tif 000009
【図８】
0003233262.tif 000010
【図９】
0003233262.tif 000011
【図１０】
0003233262.tif 000012
【図１１】
0003233262.tif 000013